(57)【要約】【課題】外気に含まれるダストが透過膜の表面に定着することを抑制できる車両用空気浄化装置を提供する。【解決手段】内気が流れる内気流路７０と、外気が流れる外気流路８０と、一方の面６０ａが内気流路７０の内気と接触し、かつ他方の面６０ｂが外気流路８０の外気と接触するように内気流路７０と外気流路８０との境目に配置され、内気流路７０側と外気流路８０側との間で気体を透過させる透過膜６０とを備え、外気流路８０における透過膜６０の外気流れ上流側に、外気流路８０を流れる外気に含まれるダストを捕集するフィルタ８５を設ける。【選択図】図１
2011168195.tif 000002
【特許請求の範囲】
【請求項１】
内気が流れる内気流路（７０）と、
外気が流れる外気流路（８０）と、
一方の面（６０ａ）が前記内気流路（７０）の内気と接触し、かつ他方の面（６０ｂ）が前記外気流路（８０）の外気と接触するように前記内気流路（７０）と前記外気流路（８０）との境目に配置され、前記内気流路（７０）側と前記外気流路（８０）側との間で気体を透過させる透過膜（６０）とを備え、
前記外気流路（８０）における前記透過膜（６０）の外気流れ上流側には、前記外気流路（８０）を流れる外気に含まれるダストを捕集するフィルタ（８５）が設けられていることを特徴とする車両用空気浄化装置
【請求項２】
車両の車室内に向かって空気を送風する空調用送風機（３７）と、空気が流れる空調用空気通路（７０）を形成する空調ケース（５１）と、前記空調用送風機（３７）に外気を導入する外気導入通路（３６）と、前記空調用空気通路（７０）と前記外気導入通路（３６）とを切替開閉する内外気切替ドア（３４）とを有する車両用空調装置に適用される車両用空気浄化装置であって、
前記外気流路（８０）の少なくとも一部が、前記外気導入通路（３６）によって構成されており、
前記内気流路が、前記空調用空気通路（７０）であり、
前記フィルタ（８５）は、前記内外気切替ドア（３４）における前記外気導入通路（３６）と対向する面に設けられていることを特徴とする請求項１に記載の車両用空気浄化装置。
【請求項３】
内気が流れる内気流路（７０）と、
外気が流れる外気流路（８０）と、
一方の面（６０ａ）が前記内気流路（７０）の内気と接触し、かつ他方の面（６０ｂ）が前記外気流路（８０）の外気と接触するように前記内気流路（７０）と前記外気流路（８０）との境目に配置され、前記内気流路（７０）側と前記外気流路（８０）側との間で気体を透過させる透過膜（６０）とを備え、
前記外気流路（８０）における前記透過膜（６０）の外気流れ上流側には、前記外気流路（８０）の他の部位より外気が流れ難い難流部（８６）が設けられていることを特徴とする車両用空気浄化装置。
【請求項４】
さらに、前記外気流路（８０）における前記透過膜（６０）の外気流れ上流側に配置されるとともに、前記外気流路（８０）に外気の流れを発生させる外気送風機（８２）を備え、
前記外気送風機（８２）は、回転軸方向から外気を吸入して径外方側に外気を吹き出す遠心ファンと、前記遠心ファンを収納するとともに前記遠心ファンから吹き出す外気の通路を構成する渦巻き状のスクロールケーシング（８２０）とを有しており、
前記難流部（８６）は、前記スクロールケーシング（８２０）の重力方向下方側に配置されていることを特徴とする請求項３に記載の車両用空気浄化装置。
【請求項５】
さらに、前記外気流路（８０）を形成する外気流路形成部材（８１）を備え、
前記外気流路形成部材（８１）における前記透過膜（６０）の外気流れ上流側には、屈曲部（８１０）が設けられており、
前記難流部（８６）は、前記屈曲部（８１０）に配置されていることを特徴とする請求項３に記載の車両用空気浄化装置。
【請求項６】
車両用空調装置に適用される車両用空気浄化装置であって、
車両の車室内に供給される空調用空気が流れる空調用空気流路（７０）と、
外気が流れる外気流路（８０）と、
一方の面（６０ａ）が前記空調用空気流路（７０）の空調用空気と接触し、かつ他方の面（６０ｂ）が前記外気流路（８０）の外気と接触するように前記空調用空気流路（７０）と前記外気流路（８０）との境目に配置され、前記空調用空気流路（７０）側と前記外気流路（８０）側との間で気体を透過させる透過膜（６０）と、
前記空調用空気流路（７０）に配置され、前記空調用空気流路（７０）に空調用空気の流れを発生させる空調用送風機（３７）と、
前記空調用送風機（３７）に外気を導入する外気導入通路（３６）と、
前記空調用空気通路（７０）と前記外気導入通路（３６）とを切替開閉する内外気切替ドア（３４）とを備え、
前記外気流路（８０）の少なくとも一部が、前記外気導入通路（３６）によって構成されており、
前記内外気切替ドア（３４）と前記空調用送風機（７０）との間には、前記内外気切替ドア（３４）が前記外気導入通路（３６）を閉じて前記空調用空気通路（７０）を開けている場合に、前記内外気切替ドア（３４）の前記外気導入通路（３６）に対向する面に衝突した外気に含まれるダストを収容するダスト収容部（８７）が設けられていることを特徴とする車両用空気浄化装置。
【請求項７】
前記車両用空調装置は、前記内外気切替ドア（３４）と前記空調用送風機（３７）との間に設けられるとともに、前記外気導入通路（３６）から導入された外気に含まれるダストを捕集する空調用フィルタ（３９）を有しており、
前記ダスト収容部（８７）は、前記空調用フィルタ（３９）と一体に形成されていることを特徴とする請求項６に記載の車両用空気浄化装置。
【請求項８】
内気が流れる内気流路（７０）と、
外気が流れる外気流路（８０）と、
一方の面（６０ａ）が前記内気流路（７０）の内気と接触し、かつ他方の面（６０ｂ）が前記外気流路（８０）の外気と接触するように前記内気流路（７０）と前記外気流路（８０）との境目に配置され、前記内気流路（７０）側と前記外気流路（８０）側との間で気体を透過させる透過膜（６０）と、
前記外気流路（８０）を形成する外気流路形成部材（８１）とを備え、
前記外気流路形成部材（８１）における前記透過膜（６０）の外気流れ上流側の内壁面の少なくとも一部は、帯電されていることを特徴とする車両用空気浄化装置。
【請求項９】
内気が流れる内気流路（７０）と、
外気が流れる外気流路（８０）と、
一方の面（６０ａ）が前記内気流路（７０）の内気と接触し、かつ他方の面（６０ｂ）が前記外気流路（８０）の外気と接触するように前記内気流路（７０）と前記外気流路（８０）との境目に配置され、前記内気流路（７０）側と前記外気流路（８０）側との間で気体を透過させる透過膜（６０）と、
前記外気流路（８０）を形成する外気流路形成部材（８１）とを備え、
前記外気流路形成部材（８１）における前記透過膜（６０）の外気流れ上流側の内壁面の少なくとも一部には、多孔質体（８５）が設けられていることを特徴とする車両用空気浄化装置。
【請求項１０】
内気が流れる内気流路（７０）と、
外気が流れる外気流路（８０）と、
一方の面（６０ａ）が前記内気流路（７０）の内気と接触し、かつ他方の面（６０ｂ）が前記外気流路（８０）の外気と接触するように前記内気流路（７０）と前記外気流路（８０）との境目に配置され、前記内気流路（７０）側と前記外気流路（８０）側との間で気体を透過させる透過膜（６０）とを備え、
前記外気流路（８０）における前記透過膜（６０）の外気流れ上流側には、前記外気流路（８０）を流れる外気に対してイオンを放出するイオン放出手段（９２、９２ａ）が設けられていることを特徴とする車両用空気浄化装置。
【請求項１１】
前記外気流路（８０）における前記透過膜（６０）の空気流れ上流側には、網状部材（９２ａ）が配置されており、
前記網状部材（９２ａ）は、金属で構成されているとともに、前記外気流路（８０）を流れる外気に対してイオンを放出するように構成されており、
前記イオン放出手段が、前記網状部材（９２ａ）であることを特徴とする請求項１０に記載の車両用空気浄化装置。
【請求項１２】
内気が流れる内気流路（７０）と、
外気が流れる外気流路（８０）と、
一方の面（６０ａ）が前記内気流路（７０）の内気と接触し、かつ他方の面（６０ｂ）が前記外気流路（８０）の外気と接触するように前記内気流路（７０）と前記外気流路（８０）との境目に配置され、前記内気流路（７０）側と前記外気流路（８０）側との間で気体を透過させる透過膜（６０）と、
前記外気流路（８０）に配置され、前記外気流路（８０）に外気の流れを発生させる外気送風機（８２）と、
前記外気流路（８０）における前記透過膜（６０）の外気流れ上流側の部位に、静電気力を印加する静電気力印加手段（９１）と、
前記外気流路（８０）における前記透過膜（６０）の外気流れ上流側の外気に含まれるダスト量を検出するダスト量検出手段（９４）と、
前記外気送風機（８２）および前記静電気力印加手段（９１）の作動を制御する制御手段（１００）とを備え、
前記制御手段（１００）は、車両から乗員が降車しており、かつ、前記ダスト量検出手段（９４）により検出された前記ダスト量が予め定めた基準量以上の場合に、前記静電気力印加手段（９１）による前記静電気力の印加を停止するとともに、前記外気送風機（８２）を、前記車両の走行時における回転数よりも高い回転数で作動させることを特徴とする車両用空気浄化装置。
【請求項１３】
前記ダスト量検出手段は、前記外気流路（８０）における前記透過膜（６０）の外気流れ上流側の外気に含まれるダストの量に応じた検出信号を出力する光学センサ（９４）であることを特徴とする請求項１２に記載の車両用空気浄化装置。
【請求項１４】
前記ダスト量検出手段は、前記外気送風機（８２）を駆動する送風機駆動手段の負荷を検出する負荷検出手段であり、
前記制御手段（１００）は、前記負荷検出手段により検出された前記負荷が予め定めた基準負荷以下の場合に、前記ダスト量が前記基準量以上であると判定することを特徴とする請求項１２に記載の車両用空気浄化装置。
【請求項１５】
内気が流れる内気流路（７０）と、
外気が流れる外気流路（８０）と、
一方の面（６０ａ）が前記内気流路（７０）の内気と接触し、かつ他方の面（６０ｂ）が前記外気流路（８０）の外気と接触するように前記内気流路（７０）と前記外気流路（８０）との境目に配置され、前記内気流路（７０）側と前記外気流路（８０）側との間で気体を透過させる透過膜（６０）と、
前記外気流路（８０）に配置され、前記外気流路（８０）に外気の流れを発生させる外気送風機（８２）と、
前記外気流路（８０）における前記透過膜（６０）の外気流れ上流側の部位に静電気力を印加する静電気力印加手段（９１）と、
前記外気送風機（８２）および前記静電気力印加手段（９１）の作動を制御する制御手段（１００）とを備え、
前記制御手段（１００）は、車両から乗員が降車した場合に、前記静電気力印加手段（９１）による前記静電気力の印加を停止するとともに、前記外気送風機（８２）を、前記車両の走行時における回転数よりも高い回転数で作動させることを特徴とする車両用空気浄化装置。
【請求項１６】
内気が流れる内気流路（７０）と、
外気が流れる外気流路（８０）と、
一方の面（６０ａ）が前記内気流路（７０）の内気と接触し、かつ他方の面（６０ｂ）が前記外気流路（８０）の外気と接触するように前記内気流路（７０）と前記外気流路（８０）との境目に配置され、前記内気流路（７０）側と前記外気流路（８０）側との間で気体を透過させる透過膜（６０）と、
前記外気流路（８０）に配置され、前記外気流路（８０）に外気の流れを発生させる外気送風機（８２）とを備え、
前記外気送風機（８２）は、前記透過膜（６０）の外気流れ下流側に配置されていることを特徴とする車両用空気浄化装置。
【発明の詳細な説明】
【技術分野】
【０００１】
本発明は、透過膜を用いて内気の酸素濃度および二酸化炭素濃度を維持する車両用空気浄化装置に関する。
【背景技術】
【０００２】
従来、この種の車両用空気浄化装置が特許文献１に記載されている。この従来技術では、酸素および二酸化炭素を選択的に透過させる性質を持つ透過膜の一方の面に内気を接触させるとともに、他方の面に外気を接触させている。
【０００３】
そして、乗員の呼吸によって内気の酸素濃度が外気の酸素濃度よりも低下するとともに、内気の二酸化炭素濃度が外気の二酸化炭素濃度よりも上昇すると、内気と外気の濃度差によって、外気側の酸素が透過膜を透過して室内に導入されるとともに、内気側の二酸化炭素が透過膜を透過して室外に放出される。
【先行技術文献】
【特許文献】
【０００４】
【特許文献１】特開２００４−２０３３６７号公報
【発明の概要】
【発明が解決しようとする課題】
【０００５】
しかしながら、上記従来技術では、透過膜の表面（他方の面）に外気を供給する外気通路に、外気とともに塵や埃等のダストが侵入した場合、このダストが透過膜の表面に定着することにより、透過膜の透過性能が低下する虞がある。
【０００６】
本発明は上記点に鑑みて、外気に含まれるダストが透過膜の表面に定着することを抑制できる車両用空気浄化装置を提供することを目的とする。
【課題を解決するための手段】
【０００７】
上記目的を達成するため、請求項１に記載の発明では、内気が流れる内気流路（７０）と、外気が流れる外気流路（８０）と、一方の面（６０ａ）が内気流路（７０）の内気と接触し、かつ他方の面（６０ｂ）が外気流路（８０）の外気と接触するように内気流路（７０）と外気流路（８０）との境目に配置され、内気流路（７０）側と外気流路（８０）側との間で気体を透過させる透過膜（６０）とを備え、外気流路（８０）における透過膜（６０）の外気流れ上流側には、外気流路（８０）を流れる外気に含まれるダストを捕集するフィルタ（８５）が設けられていることを特徴としている。
【０００８】
これによれば、外気に含まれるダストを透過膜（６０）の上流側に配置されたフィルタ（８５）によって捕集することができるので、透過膜（６０）の表面近傍にダストが侵入することを抑制できる。このため、外気に含まれるダストが透過膜（６０）の表面に定着することを抑制できる。
【０００９】
また、請求項２に記載の発明のように、車両の車室内に向かって空気を送風する空調用送風機（３７）と、空気が流れる空調用空気通路（７０）を形成する空調ケース（５１）と、空調用送風機（３７）に外気を導入する外気導入通路（３６）と、空調用空気通路（７０）と外気導入通路（３６）とを切替開閉する内外気切替ドア（３４）とを有する車両用空調装置に適用される車両用空気浄化装置において、外気流路（８０）の少なくとも一部が、外気導入通路（３６）によって構成されており、内気流路が、空調用空気通路（７０）であり、フィルタ（８５）は、内外気切替ドア（３４）における外気導入通路（３６）と対向する面に設けられていてもよい。
【００１０】
また、請求項３に記載の発明では、内気が流れる内気流路（７０）と、外気が流れる外気流路（８０）と、一方の面（６０ａ）が内気流路（７０）の内気と接触し、かつ他方の面（６０ｂ）が外気流路（８０）の外気と接触するように内気流路（７０）と外気流路（８０）との境目に配置され、内気流路（７０）側と外気流路（８０）側との間で気体を透過させる透過膜（６０）とを備え、外気流路（８０）における透過膜（６０）の外気流れ上流側には、外気流路（８０）の他の部位より外気が流れ難い難流部（８６）が設けられていることを特徴としている。
【００１１】
これによれば、外気に含まれるダストを透過膜（６０）の上流側に配置された難流部（８６）に溜めることができるので、透過膜（６０）の表面近傍にダストが侵入することを抑制できる。このため、外気に含まれるダストが透過膜（６０）の表面に定着することを抑制できる。
【００１２】
また、請求項４に記載の発明では、請求項３に記載の車両用空気浄化装置において、外気流路（８０）における透過膜（６０）の外気流れ上流側に配置されるとともに、外気流路（８０）に外気の流れを発生させる外気送風機（８２）を備え、外気送風機（８２）は、回転軸方向から外気を吸入して径外方側に外気を吹き出す遠心ファンと、遠心ファンを収納するとともに遠心ファンから吹き出す外気の通路を構成する渦巻き状のスクロールケーシング（８２０）とを有しており、難流部（８６）は、スクロールケーシング（８２０）の重力方向下方側に配置されていることを特徴としている。
【００１３】
これによれば、スクロールケーシング（８２０）に流入した外気に含まれるダストが、重力の作用で難流部（８６）に導かれるので、難流部（８６）にダストが溜まり易くなる。このため、外気に含まれるダストを透過膜（６０）の上流側に配置された難流部（８６）に確実に溜めることができる。
【００１４】
また、請求項５に記載の発明のように、請求項３に記載の車両用空気浄化装置において、外気流路（８０）を形成する外気流路形成部材（８１）を備え、外気流路形成部材（８１）における透過膜（６０）の外気流れ上流側には、屈曲部（８１０）が設けられており、難流部（８６）は、屈曲部（８１０）に配置されていてもよい。
【００１５】
また、請求項６に記載の発明では、車両用空調装置に適用される車両用空気浄化装置において、車両の車室内に供給される空調用空気が流れる空調用空気流路（７０）と、外気が流れる外気流路（８０）と、一方の面（６０ａ）が空調用空気流路（７０）の空調用空気と接触し、かつ他方の面（６０ｂ）が外気流路（８０）の外気と接触するように空調用空気流路（７０）と外気流路（８０）との境目に配置され、空調用空気流路（７０）側と外気流路（８０）側との間で気体を透過させる透過膜（６０）と、空調用空気流路（７０）に配置され、空調用空気流路（７０）に空調用空気の流れを発生させる空調用送風機（３７）と、空調用送風機（３７）に外気を導入する外気導入通路（３６）と、空調用空気通路（７０）と外気導入通路（３６）とを切替開閉する内外気切替ドア（３４）とを備え、外気流路（８０）の少なくとも一部が、外気導入通路（３６）によって構成されており、内外気切替ドア（３４）と空調用送風機（７０）との間には、内外気切替ドア（３４）が外気導入通路（３６）を閉じて空調用空気通路（７０）を開けている場合に、内外気切替ドア（３４）の外気導入通路（３６）に対向する面に衝突した外気に含まれるダストを収容するダスト収容部（８７）が設けられていることを特徴としている。
【００１６】
これによれば、外気導入通路（３６）から導入された外気を、外気切替ドア（３４）の外気導入通路（３６）に対向する面に衝突させることにより、当該外気に含まれるダストをダスト収容部（８７）に収容することができる。このため、ダストが透過膜（６０）の表面近傍に侵入することを抑制できる。したがって、外気に含まれるダストが透過膜（６０）の表面に定着することを抑制できる。
【００１７】
また、請求項７に記載の発明では、請求項６に記載の車両用空気浄化装置において、車両用空調装置は、内外気切替ドア（３４）と空調用送風機（３７）との間に設けられるとともに、外気導入通路（３６）から導入された外気に含まれるダストを捕集する空調用フィルタ（３９）を有しており、ダスト収容部（８７）は、空調用フィルタ（３９）と一体に形成されていることを特徴とする。
【００１８】
これによれば、空調用フィルタ（３９）を交換するために空調用フィルタ（３９）を車両用空調装置から取り出した際に、ダスト収容部（８７）も空調用フィルタ（３９）と一緒に取り出されるため、ダスト収容部（８７）に収容されているダストを廃棄することができる。
【００１９】
また、請求項８に記載の発明では、内気が流れる内気流路（７０）と、外気が流れる外気流路（８０）と、一方の面（６０ａ）が内気流路（７０）の内気と接触し、かつ他方の面（６０ｂ）が外気流路（８０）の外気と接触するように内気流路（７０）と外気流路（８０）との境目に配置され、内気流路（７０）側と外気流路（８０）側との間で気体を透過させる透過膜（６０）と、外気流路（８０）を形成する外気流路形成部材（８１）とを備え、外気流路形成部材（８１）における透過膜（６０）の外気流れ上流側の内壁面の少なくとも一部は、帯電されていることを特徴としている。
【００２０】
これによれば、外気流路形成部材（８１）の内壁面における帯電した部位に、静電吸着性を有するダストを吸着させることができるので、透過膜（６０）の表面近傍に当該ダストが侵入することを抑制できる。
【００２１】
ここで、静電吸着性を有しないダストは、そもそも透過膜（６０）に付着し難い。このため、本発明のように、静電吸着性を有するダストを、透過膜（６０）の外気流れ上流側の外気通路形成部材（８１）の内壁面に吸着させることで、外気に含まれるダストが透過膜（６０）の表面に定着することを確実に抑制できる。
【００２２】
また、請求項９に記載の発明では、内気が流れる内気流路（７０）と、外気が流れる外気流路（８０）と、一方の面（６０ａ）が内気流路（７０）の内気と接触し、かつ他方の面（６０ｂ）が外気流路（８０）の外気と接触するように内気流路（７０）と外気流路（８０）との境目に配置され、内気流路（７０）側と外気流路（８０）側との間で気体を透過させる透過膜（６０）と、外気流路（８０）を形成する外気流路形成部材（８１）とを備え、外気流路形成部材（８１）における透過膜（６０）の外気流れ上流側の内壁面の少なくとも一部には、多孔質体（８５）が設けられていることを特徴としている。
【００２３】
これによれば、外気に含まれるダストを透過膜（６０）の上流側に配置された多孔質体（８５）によって捕集することができるので、透過膜（６０）の表面近傍にダストが侵入することを抑制できる。このため、外気に含まれるダストが透過膜（６０）の表面に定着することを抑制できる。
【００２４】
また、請求項１０に記載の発明では、内気が流れる内気流路（７０）と、外気が流れる外気流路（８０）と、一方の面（６０ａ）が内気流路（７０）の内気と接触し、かつ他方の面（６０ｂ）が外気流路（８０）の外気と接触するように内気流路（７０）と外気流路（８０）との境目に配置され、内気流路（７０）側と外気流路（８０）側との間で気体を透過させる透過膜（６０）とを備え、外気流路（８０）における透過膜（６０）の外気流れ上流側には、外気流路（８０）を流れる外気に対してイオンを放出するイオン放出手段（９２、９２ａ）が設けられていることを特徴としている。
【００２５】
これによれば、帯電されたダストの電荷を、イオン放出手段（９２、９２ａ）から放出されたイオンによって電気的に相殺（中和）することができる。
【００２６】
ここで、透過膜（６０）の表面は帯電されているため、帯電されたダストが付着し易い一方、帯電されていないダストは、透過膜（６０）の表面に付着し難いという性質を有している。このため、本発明のように、帯電されたダストの電荷を電気的に相殺（中和）することで、ダストが透過膜（６０）の表面に定着することを抑制できる。
【００２７】
また、請求項１１に記載の発明のように、請求項１０に記載の車両用空気浄化装置において、外気流路（８０）における透過膜（６０）の空気流れ上流側には、網状部材（９２ａ）が配置されており、網状部材（９２ａ）は、金属で構成されているとともに、外気流路（８０）を流れる外気に対してイオンを放出するように構成されており、イオン放出手段が、網状部材（９２ａ）であってもよい。
【００２８】
また、請求項１２に記載の発明では、内気が流れる内気流路（７０）と、外気が流れる外気流路（８０）と、一方の面（６０ａ）が内気流路（７０）の内気と接触し、かつ他方の面（６０ｂ）が外気流路（８０）の外気と接触するように内気流路（７０）と外気流路（８０）との境目に配置され、内気流路（７０）側と外気流路（８０）側との間で気体を透過させる透過膜（６０）と、外気流路（８０）に配置され、外気流路（８０）に外気の流れを発生させる外気送風機（８２）と、外気流路（８０）における透過膜（６０）の外気流れ上流側の部位に、静電気力を印加する静電気力印加手段（９１）と、外気流路（８０）における透過膜（６０）の外気流れ上流側の外気に含まれるダスト量を検出するダスト量検出手段（９４）と、外気送風機（８２）および静電気力印加手段（９１）の作動を制御する制御手段（１００）とを備え、制御手段（１００）は、車両から乗員が降車しており、かつ、ダスト量検出手段（９４）により検出されたダスト量が予め定めた基準量以上の場合に、静電気力印加手段（９１）による静電気力の印加を停止するとともに、外気送風機（８２）を、車両の走行時における回転数よりも高い回転数で作動させることを特徴としている。
【００２９】
これによれば、乗員が乗車している間は、外気流路（８０）における透過膜（６０）の外気流れ上流側の部位に静電気力を印加することで、当該静電気力が印加されている部位にダストを吸着させ、透過膜（６０）の表面近傍にダストが侵入することを抑制できる。これにより、ダストが透過膜（６０）の表面に定着することを抑制できる。
【００３０】
ところで、静電気力が印加されている部位にダストが堆積し過ぎると、当該部位におけるダストの吸着性能が低下する虞がある。これに対し、本発明では、静電気力が印加されている部位にダストが堆積し過ぎて、外気流路（８０）における透過膜（６０）の外気流れ上流側の外気にダスト量が基準量以上となった場合には、乗員が降車した際に、静電気力の印加を停止するとともに、外気送風機（８２）を高い回転数で作動させることで、静電気力により吸着されていたダストを開放するとともに、開放されたダストを透過膜（６０）の外気流れ下流側まで押し流し、除去することができる。これにより、静電気力が印加されている部位におけるダストの吸着性能が低下することを抑制できる。
【００３１】
また、請求項１３に記載の発明のように、請求項１２に記載の車両用空気浄化装置において、ダスト量検出手段は、外気流路（８０）における透過膜（６０）の外気流れ上流側の外気に含まれるダストの量に応じた検出信号を出力する光学センサ（９４）であってもよい。
【００３２】
また、請求項１４に記載の発明のように、請求項１２に記載の車両用空気浄化装置において、ダスト量検出手段は、外気送風機（８２）を駆動する送風機駆動手段の負荷を検出する負荷検出手段であり、制御手段（１００）は、負荷検出手段により検出された負荷が予め定めた基準負荷以下の場合に、ダスト量が基準量以上であると判定してもよい。
【００３３】
また、請求項１５に記載の発明では、内気が流れる内気流路（７０）と、外気が流れる外気流路（８０）と、一方の面（６０ａ）が内気流路（７０）の内気と接触し、かつ他方の面（６０ｂ）が外気流路（８０）の外気と接触するように内気流路（７０）と外気流路（８０）との境目に配置され、内気流路（７０）側と外気流路（８０）側との間で気体を透過させる透過膜（６０）と、外気流路（８０）に配置され、外気流路（８０）に外気の流れを発生させる外気送風機（８２）と、外気流路（８０）における透過膜（６０）の外気流れ上流側の部位に静電気力を印加する静電気力印加手段（９１）と、外気送風機（８２）および静電気力印加手段（９１）の作動を制御する制御手段（１００）とを備え、制御手段（１００）は、車両から乗員が降車した場合に、静電気力印加手段（９１）による静電気力の印加を停止するとともに、外気送風機（８２）を、車両の走行時における回転数よりも高い回転数で作動させることを特徴としている。
【００３４】
これによれば、乗員が乗車している間は、外気流路（８０）における透過膜（６０）の外気流れ上流側の部位に静電気力を印加することで、当該静電気力が印加されている部位にダストを吸着させ、透過膜（６０）の表面近傍にダストが侵入することを抑制できる。これにより、ダストが透過膜（６０）の表面に定着することを抑制できる。
【００３５】
また、乗員が降車した際に、静電気力の印加を停止するとともに、外気送風機（８２）を高い回転数で作動させることで、静電気力により吸着されていたダストを開放するとともに、開放されたダストを透過膜（６０）の外気流れ下流側まで押し流し、除去することができる。これにより、乗員が降車する毎に、透過膜（６０）の外気流れ上流側部位に吸着されたダストを除去することができる。したがって、静電気力が印加されている部位にダストが堆積し過ぎて、当該部位におけるダストの吸着性能が低下することを抑制できる。
【００３６】
さらに、外気流路（８０）における透過膜（６０）の外気流れ上流側の外気に含まれるダスト量を検出するためのダスト量検出手段が不要であるので、部品点数の増加を抑制することができる。
【００３７】
また、請求項１６に記載の発明では、内気が流れる内気流路（７０）と、外気が流れる外気流路（８０）と、一方の面（６０ａ）が内気流路（７０）の内気と接触し、かつ他方の面（６０ｂ）が外気流路（８０）の外気と接触するように内気流路（７０）と外気流路（８０）との境目に配置され、内気流路（７０）側と外気流路（８０）側との間で気体を透過させる透過膜（６０）と、外気流路（８０）に配置され、外気流路（８０）に外気の流れを発生させる外気送風機（８２）とを備え、外気送風機（８２）は、透過膜（６０）の外気流れ下流側に配置されていることを特徴としている。
【００３８】
これによれば、透過膜（６０）の外気流れ下流側に配置された外気送風機（８２）により、外気流路（８０）における外気送風機（８２）の外気流れ上流側に負圧が発生する。このため、外気流路（８０）に流入したダストを含む外気は、外気送風機（８２）の吸込口に向かって流れるので、ダストが透過膜（６０）の表面に定着することを抑制できる。
【００３９】
なお、この欄および特許請求の範囲で記載した各手段の括弧内の符号は、後述する実施形態に記載の具体的手段との対応関係を示すものである。
【図面の簡単な説明】
【００４０】
【図１】第１実施形態に係る車両用空気浄化装置と一体化した車両用空調装置の模式的な断面図である。
【図２】第１実施形態における送風機ユニット３０を図１中の下側から見た状態を示す透過側面図である。
【図３】第１実施形態における内外気切替ドア３４を示す斜視図である。
【図４】第２実施形態に係る車両用空気浄化装置と一体化した車両用空調装置の室内ユニット２０を示す一部透過斜視図である。
【図５】第２実施形態に係る車両用空気浄化装置と一体化した車両用空調装置の室内ユニット２０を示す一部透過斜視図である。
【図６】第４実施形態における送風機ユニット３０を車両左側から見た状態を示す透過側面図である。
【図７】第５実施形態に係る車両用空気浄化装置と一体化した車両用空調装置の模式的な断面図である。
【図８】第５実施形態における外気流路８０の一部を示す模式図である。
【図９】第５実施形態における制御装置１００が実行する空気清浄制御のフローチャートである。
【図１０】第６実施形態における外気流路８０の一部を示す模式図である。
【図１１】第７実施形態に係る車両用空気浄化装置と一体化した車両用空調装置の室内ユニット２０を示す一部透過斜視図である。
【発明を実施するための形態】
【００４１】
以下、本発明の実施形態について図に基づいて説明する。なお、以下の各実施形態相互において、互いに同一もしくは均等である部分には、図中、同一符号を付してある。
【００４２】
（第１実施形態）
本発明の第１実施形態について説明する。本第１実施形態は、本発明による車両用空気浄化装置を車両用空調装置と一体化している。図１は本第１実施形態に係る車両用空気浄化装置と一体化した車両用空調装置の模式的な断面図である。なお、図１において前後左右の矢印は車両の各方向を示している。
【００４３】
図１に示すように、車両用空調装置の室内ユニット２０は、いわゆるセミセンター置きレイアウトのものであって、送風機ユニット３０、接続ダクト４０および空調ユニット５０が車両左右方向にこの順番に配置されている。
【００４４】
空調ユニット５０は、車室内前方の計器盤内部のうち車両左右方向の略中央部に配置されている。送風機ユニット３０は、空調ユニット５０の側方（助手席側）にオフセット配置されており、空調ユニット５０に空気を送風する。接続ダクト４０は、空調ユニット５０と送風機ユニット３０との間に挟まれるように配置されており、送風機ユニット３０の送風空気を空調ユニット５０に導く接続通風路４１を形成している。
【００４５】
図２は本第１実施形態における送風機ユニット３０を図１中の下側から見た状態を示す透過側面図である。なお、図２中、上下前後の矢印は車両の各方向を示しており、実線矢印は外気の流れを示しており、破線矢印は内気の流れを示している。
【００４６】
図１および図２に示すように、送風機ユニット３０は、内気（車室内空気）と外気（車室外空気）とを切替導入する内外気切替手段としての内外気切替箱３１を有している。内外気切替箱３１の内気導入口３２および外気導入口３３は、内外気切替ドア３４によって開閉される。
【００４７】
内外気切替ドア３４は、内外気導入モード切替手段としての役割を果たす。内外気導入モードとしては、内気のみを導入する全内気モード、外気のみを導入する全外気モード、および内気と外気とを同時に導入する内外気モードが設定可能になっている。
【００４８】
内外気切替箱３１の外気導入口３３には、外気導入ダクト３５が接続されている。外気導入ダクト３５は、車室外（エンジンルーム）から外気導入口３３に外気を導入する外気導入通路３６を形成する通路形成部材であり、ファイアウォール（図示せず）に設けられた貫通穴に挿通されている。
【００４９】
内外気切替箱３１の車両下方側、かつ空気流れ下流側には、内外気切替箱３１を介して吸入した空気を車室内へ向けて送風する送風手段としての空調用送風機（ブロワ）３７が配置されている。この空調用送風機３７は、遠心多翼ファン（シロッコファン）を電動モータ３７ａ（図２参照）にて駆動する電動送風機である。空調用送風機３７はスクロールケーシング３８内に収容されている。
【００５０】
また、内外気切替箱３１と空調用送風機３７との間、すなわち内外気切替ドア３４と空調用送風機３７との間には、外気導入通路３６から導入された外気に含まれるダストを捕集する空調用フィルタ３９が設けられている。
【００５１】
図１に示すように、スクロールケーシング３８の出口部は、スクロールケーシング３８の最も車両前方側部分において、空調ユニット５０側を向いて開口している。スクロールケーシング３８の出口部には、接続ダクト４０の一端部が接続されている。接続ダクト４０は、樹脂にて形成されており、車両後方側に向かって連続的に延びる形状を有している。
【００５２】
空調ユニット５０は、樹脂製の空調ケース５１を有している。空調ケース５１のうち車両前方側の部位には、接続ダクト４０の他端部に接続される空気入口部５２が形成されている。送風機ユニット３０からの送風空気は、接続ダクト４０内の接続通風路４１を通じて空気入口部５２に流入する。
【００５３】
空調ケース５１のうち最も車両前方側の面には、空調ケース５１の内部と外部とを連通する貫通穴が形成されており、この貫通穴は透過膜６０によって塞がれている。
【００５４】
この透過膜６０は、例えば気体全般が透過しやすい一方、車室に入れたくない液体や固体の汚染物質（例えば粉塵、花粉、ＳＰＭ等）が全く透過しないか透過しにくいという性質を有する膜である。また透過膜６０は例えば、ある特定の成分の気体（例えば酸素、二酸化炭素、水蒸気）が透過しやすいが他の特定の成分の気体（例えば窒素、臭気）は透過しにくく、かつ上記の汚染物質が全く透過しないか透過しにくいというものである。
【００５５】
透過膜６０の材料としては、シリコーン等の気体透過性高分子の膜やセロファンやセラミックの多孔体や不織布等を用いることができる。
【００５６】
また、透過膜６０は、内気中のある成分の濃度と外気中のその成分の濃度との差によって透過性能が発揮されるようになっている。そして、透過膜６０の内気側と外気側との間に、真空ポンプ等の差圧発生手段により大きな圧力差を設けることなく、すなわち内気と外気との間に差圧がない状態においても、透過膜６０の透過性能が発揮されるようになっている。
【００５７】
このような透過膜６０を用いた車両用空調装置は、一般的な大気圧に、車両の走行によって生じる圧力や、圧縮比２未満の送風機の送風圧力が加わった程度の圧力変動の範囲で作動させることができる。具体的には、透過膜６０における内気と外気との圧力差が５ｋＰａ以下のシステムに適用することができる。
【００５８】
ここで、内外気導入モードが全内気モードまたは内外気モードに設定された場合、内気導入口から導入された内気は、空調用空気通路７０、すなわちスクロールケーシング３８、接続通風路４１および空調ケース５１内の空気通路を通過して、透過膜６０の一方の面（車室側の面）６０ａに供給される。このため、空調用空気通路７０は、内気が流通する内気流路７０を構成している。また、空調用送風機３７は、内気の流れを発生させて透過膜６０の一方の面６０ａに内気を送風する内気送風機として兼用されている。
【００５９】
透過膜６０の車両前方側には、外気が流れる外気流路８０の一部を形成する外気ダクト８１が接続されている。外気流路８０および外気ダクト８１の詳細については後述する。
【００６０】
したがって、透過膜６０は、その一方の面６０ａが空調用空気通路７０に露出して内気と接触し、その他方の面（エンジンルーム側の面）６０ｂが外気流路８０に露出して外気と接触するように、空調用空気通路７０と外気流路８０との境目に配置されている。
【００６１】
空調ケース５１内において透過膜６０の空気流れ下流側で車両後方側には、蒸発器５３が配置されている。蒸発器５３は、冷凍サイクルの冷媒の蒸発潜熱を空気から吸熱して空気を冷却する冷却用熱交換器であり、車両前後方向に薄型の形態で空調ケース５１内の空気通路を横断するように略垂直に配置されている。
【００６２】
空調ケース５１内において蒸発器５３の空気流れ下流側で車両後方側には、蒸発器５３に対して所定の間隔を開けてヒータコア５４が配置されている。ヒータコア５４は、車両のエンジン（図示せず）の冷却水（温水）を熱源流体として空気を加熱する加熱用熱交換器である。蒸発器５３およびヒータコア５４は、空調用送風機３７に対して車両の側方（本実施形態では運転席側）にオフセットして配置されている。
【００６３】
空調ケース５１内においてヒータコア５４の上方側には、冷風バイパス通路（図示せず）が形成されている。空調ケース５１内において蒸発器５３の直ぐ下流側（車両後方側）には板状のエアミックスドア（図示せず）が回動可能に配置されている。このエアミックスドアは、冷風バイパス通路を通過する冷風とヒータコア５４を通過する温風との風量割合を調整して車室内への吹出空気温度を所望温度に調整するものである。
【００６４】
空調ケース５１内においてヒータコア５４および冷風バイパス通路の直後の部位にはヒータコア５４通過後の温風と冷風バイパス通路からの冷風とを混合する空気混合部５５が形成されている。
【００６５】
さらに、空調ケース５１における空気流れ最下流部には、空気混合部５５から空調対象空間である車室内へ温度調整された空調風を吹き出す吹出口５６〜５８が配置されている。この吹出口としては、具体的に、車室内の乗員の上半身に向けて空調風を吹き出すフェイス吹出口５６、乗員の足元に向けて空調風を吹き出すフット吹出口５７、および、車両前面窓ガラス内側面に向けて空調風を吹き出すデフロスタ吹出口５８が設けられている。
【００６６】
また、フェイス吹出口５６、フット吹出口５７およびデフロスタ吹出口５８の空気流れ上流側には、それぞれ、フェイス吹出口５６を開閉してその開口面積を調整するフェイスドア５６０、フット吹出口５７を開閉してその開口面積を調整するフットドア５７０、デフロスタ吹出口５８を開閉してその開口面積を調整するデフロスタドア５８０が配置されている。
【００６７】
これらのフェイスドア５６０、フットドア５７０、デフロスタドア５８０は、図示しないリンク機構を介して、吹出口開閉ドア駆動用の電動アクチュエータ（図示せず）に連結されて連動して回転操作される。
【００６８】
室内ユニット２０の車両前方側には、外気が流れる外気流路８０の一部を形成する外気ダクト８１が設けられている。外気ダクト８１は、樹脂にて形成されている。外気ダクト８１の一端部は、外気導入ダクト３５に接続されている。これにより、外気導入ダクト３５から導入された外気の少なくとも一部が、外気ダクト８１内に流入するようになっている。
【００６９】
換言すると、外気ダクト８１および外気導入ダクト３５により、外気流路８０が形成されている。すなわち、外気流路８０の一部が、外気導入ダクト３５内の外気導入通路３６によって構成されている。そして、外気導入通路３６の入口部が、外気流路８０に外気を流入させる外気入口部８０ａを構成している。
【００７０】
外気流路８０には、外気の流れを発生させて透過膜６０の他方の面６０ｂに外気を供給する外気送風機８２が設けられている。外気送風機８２は、外気流路８０のうち外気導入通路３６の空気流れ下流側で、かつ透過膜６０より空気流れ上流側に配置されている。
【００７１】
外気送風機８２は、回転軸方向から外気を吸入して径外方側に空気を吹き出す遠心多翼ファン（図示せず）と、遠心多翼ファンを収納するとともに遠心多翼ファンから吹き出す外気の通路を構成する渦巻き状のスクロールケーシング８２０とを有して構成されている。遠心多翼ファンは、電動モータ（図示せず）にて駆動される。
【００７２】
外気ダクト８１は、透過膜６０の車両前方側において、透過膜６０の他方の面６０ｂを車両前方側から覆うような形状に形成されている。外気ダクト８１における透過膜６０の車両前方側には、外気を外気流路８０の外部に流出させる外気出口部８０ｂが形成されている。外気出口部８０ｂは、車両下方側の面（床面）に開口している。
【００７３】
次に、本第１実施形態の特徴部分について説明する。図３は本第１実施形態における内外気切替ドア３４を示す斜視図である。なお、図３中の矢印は、外気の流れを示している。また、図３において、後述する回転軸３４ａは図示を省略している。
【００７４】
図２および図３に示すように、本実施形態の内外気切替ドア３４は、いわゆるロータリードア３４で構成されており、内気導入口３２および外気導入口３３は、ロータリードア３４の回転方向に沿って配置されている。また、内外気切替ドア３４は、回転軸３４ａを中心とする円弧壁面３４ｂが設けられ、この円弧壁面３４ｂの軸方向（図２の紙面垂直方向）の両端部を２枚の側面板部３４ｃにより回転軸２３ａに連結する構造になっている。
【００７５】
内外気切替ドア３４の円弧壁面３４ｂにおける外側の面、すなわち外気導入口３３を閉じて内気導入口３２を開いた場合に外気導入通路３６と対向する面には、外気に含まれるダストを捕集するフィルタ８５が設けられている。フィルタ８５は多孔質体により構成することができ、本実施形態では不織布により構成されている。不織布は吸音部材としても用いられる材料であるため、フィルタ８５を不織布により構成することで、外気送風機８２の吸い込み騒音を低減することもできる。
【００７６】
本実施形態によれば、外気に含まれるダストを透過膜６０の上流側に配置されたフィルタ８５によって捕集することができるので、透過膜６０の表面近傍にダストが侵入することを抑制できる。このため、外気に含まれるダストが透過膜６０の表面に定着することを抑制できる。
【００７７】
また、内外気切替ドア３４をロータリードアにより構成するとともに、このロータリードアの円弧壁面３４ｂにおける外気導入通路３６と対向する面にフィルタ８５を配置することで、内外気切替ドア３４が外気導入口３３を閉じて内気導入口３２を開いた場合に、外気導入口３３から流入した外気がフィルタ８５に略垂直に当たるようにできる。このため、外気に含まれるダストをフィルタ８５によって確実に捕集することができる。
【００７８】
（第２実施形態）
次に、本発明の第２実施形態について図４に基づいて説明する。本第２実施形態は、上記第１実施形態と比較して、外気流路８０に外気が流れにくい難流部８６を設けた点が異なるものである。
【００７９】
図４は本第２実施形態に係る車両用空気浄化装置と一体化した車両用空調装置の室内ユニット２０を示す一部透過斜視図である。なお、図４において上下前後左右の矢印は車両の各方向を示している。
【００８０】
図４に示すように、外気流路８０における透過膜６０の外気流れ上流側には、外気流路８０の他の部位より外気が流れ難い難流部８６が設けられている。この難流部８６は、外気が流れ難くなっているので、外気導入通路３６から流入した外気に含まれるダストが溜まり易くなっている。すなわち、難流部８６は、外気に含まれるダストを溜めておくダストポケットとしての役割を果たす。本実施形態では、難流部８６は、外気送風機８２のスクロールケーシング８２０の重力方向下方側に配置されている。
【００８１】
本実施形態によれば、外気に含まれるダストを透過膜６０の上流側に配置された難流部８６に溜めることができるので、透過膜６０の表面近傍にダストが侵入することを抑制できる。このため、外気に含まれるダストが透過膜６０の表面に定着することを抑制できる。
【００８２】
また、難流部８６をスクロールケーシング８２０の重力方向下方側に配置することで、スクロールケーシング８２０に流入した外気に含まれるダストが重力の作用で難流部８６に導かれるため、外気に含まれるダストを難流部８６に確実に溜めることができる。
【００８３】
（第３実施形態）
次に、本発明の第３実施形態について図５に基づいて説明する。本第３実施形態は、上記第２実施形態と比較して、外気送風機８２を廃止した点、および難流部８６を外気ダクト８１の屈曲部８１０に設けた点が異なるものである。
【００８４】
図５は本第２実施形態に係る車両用空気浄化装置と一体化した車両用空調装置の室内ユニット２０を示す一部透過斜視図である。なお、図５において上下前後左右の矢印は車両の各方向を示している。
【００８５】
図５に示すように、外気ダクト８１は、外気流路８０を流れる外気の流れを屈曲させる屈曲部８１０を有している。そして、本実施形態の難流部８６は、外気ダクト８１の屈曲部８１０における重力方向下方側に配置されている。
【００８６】
本実施形態によれば、外気に含まれるダストを透過膜６０の上流側に配置された難流部８６に溜めることができるので、上記第２実施形態と同様の効果を発揮することができる。
【００８７】
また、難流部８６を屈曲部８１０の重力方向下方側に配置することで、屈曲部８１０に流入した外気に含まれるダストが重力の作用で難流部８６に導かれるため、外気に含まれるダストを難流部８６に確実に溜めることができる。
【００８８】
（第４実施形態）
次に、本発明の第４実施形態について図６に基づいて説明する。本第４実施形態は、上記第１実施形態と比較して、内外気切替箱３１内にダスト収容部８７を設けた点が異なるものである。
【００８９】
図６は本第４実施形態における送風機ユニット３０を車両左側から見た状態を示す透過側面図であり、上記第１実施形態の図２に対応する図面である。なお、図６中、上下前後の矢印は車両の各方向を示しており、実線矢印は外気の流れを示しており、破線矢印は内気の流れを示している。
【００９０】
図６に示すように、内外気切替ドア３４の側面板部３４ｃにおける円弧壁面３４ｂ側の端部には、空調用フィルタ３９側に突出するとともに、回転軸３４ａの軸方向（図６の紙面垂直方向）に延びる突出板部３４ｄが設けられている。突出板部３４ｄは、側面板部３４ｃと一体に形成されている。突出板部３４ｄにより、内外気切替ドア３４が外気導入口３３（外気導入通路３６）を閉じて内気導入口３２（空調用空気通路７０）を開けている状態において、外気と内気との気密が保たれている。
【００９１】
内外気切替箱３１内には、内外気切替ドア３４が外気導入口３３を閉じて内気導入口３２を開けている場合に、内外気切替ドア３４の円弧壁面３４ｂにおける外気導入通路３６側の面に衝突した外気に含まれるダストを収容するダスト収容部８７が設けられている。ダスト収容部８７は、重力方向上側に向けて開口しており、内外気切替ドア３４の重力方向下側、かつ突出板部３４ｄの車両前方側に配置されている。本実施形態では、ダスト収容部８７は不織布により構成されており、空調用フィルタ３９と一体に形成されている。
【００９２】
本実施形態によれば、外気導入通路３６から導入された外気を、内外気切替ドア３４の外気導入通路３６に対向する面に衝突させることにより、当該外気に含まれるダストをダスト収容部８７に収容することができる。このため、ダストが透過膜６０の表面近傍に侵入することを抑制できる。したがって、外気に含まれるダストが透過膜６０の表面に定着することを抑制できる。
【００９３】
また、ダスト収容部８７を空調用フィルタ３９と一体に形成することで、空調用フィルタ３９を交換するために空調用フィルタ３９を送風機ユニット３０から引き出した際に、ダスト収容部８７も空調用フィルタ３９と一緒に取り出される。これにより、ダスト収容部８７に収容されているダストを廃棄することができる。
【００９４】
（第５実施形態）
次に、本発明の第５実施形態について図７〜図９に基づいて説明する。本第５実施形態は、上記第１実施形態と比較して、静電気によりダストを外気ダクト８１の内壁面に吸着させる点、および外気流路８０内にイオンを放出することで帯電したダストの電荷を中和する点が異なるものである。
【００９５】
図７は本第５実施形態に係る車両用空気浄化装置と一体化した車両用空調装置の模式的な断面図、図８は本第５実施形態における外気流路８０の一部を示す模式図である。なお、図７において前後左右の矢印は車両の各方向を示しており、図８中の矢印は外気の流れを示している。
【００９６】
図７および図８に示すように、外気ダクト８１における透過膜６０の外気流れ上流側には、外気ダクト８１の内壁面に静電気力を印加する静電気力印加手段としての静電気発生装置９１が設けられている。静電気発生装置９１は、リング状に形成された金属製の陽電極９１１と、陽電極９１１の内部に絶縁体（図示せず）を介して配置された金属製の陰電極９１２とを有して構成されている。リング状の陽電極９１１は、外気ダクト８１の内壁面と接触するように外気ダクト８１の内側に嵌め込まれている。静電気発生装置９１は、制御装置１００から出力される制御信号によって、その作動が制御される。
【００９７】
外気ダクト８１における静電気発生装置９１の外気流れ上流側には、外気流路８０内にイオンを放出するイオン放出手段としての針状電極９２が設けられている。針状電極９２は、帯電されたダスト（以下、帯電ダストともいう）の電荷と逆極性のイオンを放出することで電荷を中和するようになっている。本実施形態では、針状電極９２から陰イオンＡが放出される。
【００９８】
針状電極９２は、陰イオンを発生させるイオン発生装置９３に接続されており、イオン発生装置９３により発生した陰イオンを外気流路８０内に放出するようになっている。イオン発生装置９３は、外気ダクト８１の外側に配置されている。また、イオン発生装置９３は、制御装置１００から出力される制御信号によって、その作動が制御される。
【００９９】
図７に示すように、外気ダクト８１における透過膜６０の外気流れ上流側には、外気流路８０を流れる外気に含まれるダストの量を検出するダスト量検出手段としての光学センサ９４が設けられている。光学センサ９４は、外気流路８０を流れる外気に含まれるダスト量に応じた検出信号を出力する。この光学センサ９４の検出信号は、制御装置１００へ入力される。
【０１００】
図９に、本第５実施形態における制御装置１００が実行する空気清浄制御のフローチャートを示す。車両のイグニッションスイッチ（図示せず）がオン状態になると、制御装置１００は図９に示す処理を開始する。
【０１０１】
まず、ステップ１０１では、乗車モードに移行する。具体的には、静電気発生装置９１を作動させるとともに、イオン発生装置９３の作動を停止させ、さらに、外気送風機８２を作動させる。ここで、乗車モードにおける外気送風機８２の回転数を標準回転数といい、乗車モードにおける外気送風機８２の送風量を標準送風量という。
【０１０２】
次に、ステップ１０２では、光学センサ９４による外気流路８０を流れる外気に含まれるダスト量の検出を開始する。続いて、ステップ１０３では、車両から乗員が降車したか否かを判定する。乗員が降車したか否かは、イグニッションスイッチがオン状態かオフ状態か、およびドアロックが作動したか否かに基づいて判定することができる。すなわち、イグニッションスイッチがオフ状態であり、かつドアロックが作動していれば乗員が降車したと判定することができる。
【０１０３】
ステップ１０３にて乗員が降車していないと判定した場合には、ステップ１０３に戻る。
【０１０４】
一方、ステップ１０３にて乗員が降車したと判定した場合には、ステップ１０４にて、外気流路８０を流れる外気に含まれるダスト量が予め定めた基準量以上か否かを判定する。
【０１０５】
ステップ１０４にてダスト量が基準量以上と判定した場合には、ステップ１０５にてクリーンナップモードに移行する。具体的には、静電気発生装置９１の作動を停止させるとともに、イオン発生装置９３を作動させ、さらに、外気送風機８２を標準回転数より高い回転数で作動させる。本実施形態では、クリーンナップモードにおいて、外気送風機８２を最大回転数で作動させ、外気送風機８２の送風量が最大送風量となるようにする。
【０１０６】
このように、乗員が降車しており、かつ、外気流路８０を流れる外気に含まれるダスト量が基準量以上である場合に、クリーンナップモードに移行した後、ステップ１０４に戻る。ここで、外気流路８０を流れる外気に含まれるダスト量が基準量を下回っていれば、本制御を終了する。
【０１０７】
本実施形態によれば、乗車モードにおいては、静電気発生装置９１を作動させるので、外気ダクト８１の内壁面が帯電される。これにより、当該帯電された部位に、静電吸着性を有するダストを吸着させることができるので、透過膜６０の表面近傍に当該ダストが侵入することを抑制できる。
【０１０８】
ここで、静電吸着性を有しないダストは、そもそも透過膜６０に付着し難い性質を有している。このため、本実施形態のように、静電吸着性を有するダストを、透過膜６０の外気流れ上流側の外気ダクト８１の内壁面に吸着させることで、外気に含まれるダストが透過膜６０の表面に定着することを確実に抑制できる。
【０１０９】
一方、クリーンナップモードにおいては、静電気発生装置９１の作動を停止させるので、外気ダクト８１の内壁面に吸着されていたダストが開放される。このとき、イオン発生装置９３を作動させ、開放された帯電ダストの電荷と逆極性のイオンを放出することで帯電ダストの電荷を中和することができる。
【０１１０】
さらに、クリーンナップモードにおいては、外気送風機８２を最大回転数で作動させるので、電気的に中和されたダストを、透過膜６０の外気流れ下流側まで押し流し、外気出口部８０ｂから外部へ確実に排出することができる。
【０１１１】
以上のように、クリーンナップモードにおいては、乗車モード時に外気ダクト８１の内壁面に吸着されたダストを外部へ排出することができる。したがって、外気ダクト８１の帯電された内壁面にダストが堆積し過ぎて、当該内壁面におけるダストの吸着性能が低下することを抑制できる。
【０１１２】
（第６実施形態）
次に、本発明の第６実施形態について図１０に基づいて説明する。本第６実施形態は、上記第５実施形態と比較して、針状電極９２を廃止する代わりに、網状部材９２ａを追加したものである。
【０１１３】
図１０は本第６実施形態における外気流路８０の一部を示す模式図であり、上記第５実施形態の図８に対応する図面である。なお、図１０中の矢印は外気の流れを示している。
【０１１４】
図１０に示すように、外気ダクト８１における静電気発生装置９１の外気流れ上流側には、金属製の網状部材９２ａが外気流れ方向に対して略直交するように配置されている。この網状部材９２ａは、イオン発生装置９３に接続されており、外気流路８０内に陰イオンＡを放出するようになっている。したがって、網状部材９２ａが、本発明のイオン放出手段に相当している。
【０１１５】
本実施形態によれば、イオン発生装置９３を作動させることにより、網状部材９２ａから帯電ダストの電荷と逆極性のイオンを放出することで帯電ダストの電荷を中和することができるので、上記第５実施形態と同様の効果を得ることができる。
【０１１６】
（第７実施形態）
次に、本発明の第７実施形態について図１１に基づいて説明する。本第７実施形態は、上記第１実施形態と比較して、外気送風機８２の配置位置が異なっている。
【０１１７】
図１１は本第７実施形態に係る車両用空気浄化装置と一体化した車両用空調装置の室内ユニット２０を示す一部透過斜視図である。なお、図１１において上下前後左右の矢印は車両の各方向を示している。図１１に示すように、外気送風機８２は、透過膜６０の外気流れ下流側に配置されている。より詳細には、外気ダクト８１における透過膜６０の外気流れ下流側、かつ車両前方側に、外気送風機８２が配置されている。
【０１１８】
外気送風機８２のスクロールケーシング８２０には、送風機ユニット３０側（図１１では車両左方向）を向いて開口する出口開口部（図示せず）が形成されている。この出口開口部には、外気排出ダクト８４の一端部が接続されている。外気排出ダクト８４は、透過膜６０に供給された後の外気を外部へ排出する外気排出通路を形成する通路形成部材であり、樹脂にて形成されている。外気排出ダクト８４の他端部は、内外気切替箱３１の外気側（図１１では車両前方側）に接続されている。
【０１１９】
本実施形態によれば、透過膜６０の外気流れ下流側に配置された外気送風機８２により、外気流路８０における外気送風機８２の外気流れ上流側に負圧が発生する。このため、外気入口部８０ａから外気流路８０に流入したダストを含む外気は、外気送風機８２の吸込口に向かって流れるので、ダストが透過膜６０の表面に定着することを抑制できる。
【０１２０】
（他の実施形態）
本発明は上述の実施形態に限定されることなく、本発明の趣旨を逸脱しない範囲内で、以下のように種々変形可能である。
【０１２１】
（１）上記第１実施形態では、多孔質体であるフィルタ８５を、内外気切替ドア３４における外気導入通路３６と対向する面に配置した例について説明したが、これに限らず、外気ダクト８１における透過膜６０の外気流れ上流側の内壁面の一部にフィルタ８５を設けてもよいし、当該内壁面の全面をフィルタ８５で覆うようにしてもよい。
【０１２２】
（２）上記第２実施形態では、難流部８６を外気送風機８２のスクロールケーシング８２０の重力方向下方側に配置した例について説明し、上記第３実施形態では、難流部８６を屈曲部８１０の重力方向下方側に配置した例について説明したが、これらに限らず、外気流路８０における透過膜６０の外気流れ上流側であれば、難流部８６を任意の位置に設けることができる。
【０１２３】
（３）上記第３実施形態では、外気送風機８２を廃止した例について説明したが、これに限らず、外気送風機８２を設けてもよい。
【０１２４】
（４）上記第４実施形態では、ダスト収容部８７を空調用フィルタ３９と一体に形成した例について説明したが、これに限らず、これらを別体として形成してもよい。
【０１２５】
（５）上記第５実施形態では、静電気発生装置９１およびイオン発生装置９３の両装置を設けた例について説明したが、これに限らず、静電気発生装置９１およびイオン発生装置９３のうち一方のみを設けてもよい。
【０１２６】
（６）上記第５実施形態では、外気流路８０を流れる外気に含まれるダスト量を検出するダスト量検出手段として、光学センサ９４を用いた例について説明したが、これに限らず、ダスト量検出手段として、外気送風機８２を駆動する送風機駆動手段としての電動モータの負荷を検出する負荷検出手段を用いてもよい。この場合、制御装置１００は、負荷検出手段により検出された電動モータの負荷が予め定めた基準負荷以下の場合に、ダスト量が基準量以上であると判定してもよい。
【０１２７】
具体的には、負荷検出手段を、電動モータに印加される電圧（モータ電圧）を検出するモータ電圧検出手段、および電動モータに流される電流（モータ電流）を検出するモータ電流検出手段から構成することができる。そして、制御装置１００は、モータ電流が予め定めた基準電流値より低下した場合に、外気送風機８２の仕事率が低下しているので、外気流路８０が詰まっている、すなわち外気流路８０を流れる外気に含まれるダスト量が基準量以上であると判定することができる。
【０１２８】
（７）上記第５実施形態では、乗員が降車しており、かつ、外気流路８０を流れる外気に含まれるダスト量が基準量以上である場合に、クリーンナップモードに移行した例について説明したが、これに限らず、乗員が降車している場合に、クリーンナップモードに移行してもよい。これによれば、ダスト量検出手段が不要であるので、部品点数を削減することができる。
【０１２９】
（８）上記各実施形態では、内外気切替ドア３４としてロータリードア３４を用いた例について説明したが、これに限らず、内外気切替ドア３４として、スライド式板ドア、板ドア等を用いてもよい。
【０１３０】
（９）上記各実施形態は、可能な範囲で適宜組み合わせてもよい。
【符号の説明】
【０１３１】
３４    内外気切替ドア
３９    空調用フィルタ
６０    透過膜
８０    外気流路
８２    外気送風機
８５    フィルタ（多孔質体）
８６    難流部
８７    ダスト収容部
９１    静電気発生装置（静電気力印加手段）
９２    針状電極（イオン放出手段）
９２ａ  網状部材（イオン放出手段）
９４    光学センサ（ダスト量検出手段）
【図１】
2011168195.tif 000003
【図２】
2011168195.tif 000004
【図３】
2011168195.tif 000005
【図４】
2011168195.tif 000006
【図５】
2011168195.tif 000007
【図６】
2011168195.tif 000008
【図７】
2011168195.tif 000009
【図８】
2011168195.tif 000010
【図９】
2011168195.tif 000011
【図１０】
2011168195.tif 000012
【図１１】
2011168195.tif 000013